(57)【要約】【課題】  手洗い用の洗浄水を吐水する手洗吐水部を備える便器装置において、手洗トラップ部での破封を防ぐことが可能な便器装置を提供することを目的とする。【解決手段】  手洗い用の洗浄水を吐水する手洗吐水部と、便器給水弁及び手洗給水弁の開閉動作を制御する制御部と、を備え、制御部は、手洗給水弁の閉弁してからの経過時間を計時する計時手段と、この計時手段による計時が所定時間を越えた場合、手洗給水弁を一定期間開弁する自動給水手段と、を有する便器装置。【選択図】  図１
2014136952.tif 000002
【特許請求の範囲】
【請求項１】
手洗い用の洗浄水を吐水する手洗吐水部を備える便器装置であって、
汚物を受けるボウル部を有する便器と、前記ボウル部に洗浄水を吐水する便器吐水部と、この便器吐水部に洗浄水を供給する便器給水流路と、この便器給水流路を開閉する便器給水弁と、前記ボウル部に連通し前記汚物を洗浄水とともに排出する便器排水流路と、この便器排水流路の中途に設けられ封水を形成する便器トラップ部と、
前記便器給水弁の上流側で前記便器給水流路から分岐するとともに、前記手洗吐水部へ洗浄水を給水する手洗給水流路と、この手洗給水流路を開閉する手洗給水弁と、前記手洗吐水部から吐水された洗浄水を受ける手洗ボウル部と、この手洗ボウル部と前記便器排水流路とを連通し手洗い用の洗浄水を排出する手洗排水流路と、この手洗排水流路の中途に設けられ封水を形成する手洗トラップ部と、
前記便器給水弁及び前記手洗給水弁の開閉動作を制御する制御部と、を備え、
前記制御部は、前記手洗給水弁が閉弁してからの経過時間を計時する計時手段と、この計時手段による計時が所定時間を越えた場合、前記手洗給水弁を一定期間開弁する自動給水手段と、を有する便器装置。
【請求項２】
手洗い用の洗浄水を吐水する手洗吐水部を備える便器装置であって、
汚物を受けるボウル部を有する便器と、前記ボウル部に洗浄水を吐水する便器吐水部と、この便器吐水部に洗浄水を供給する便器給水流路と、この便器給水流路を開閉する便器給水弁と、前記ボウル部に連通し前記汚物を洗浄水とともに排出する便器排水流路と、この便器排水流路の中途に設けられ封水を形成する便器トラップ部と、
前記便器給水弁の上流側で前記便器給水流路から分岐するとともに、前記手洗吐水部へ洗浄水を給水する手洗給水流路と、この手洗給水流路を開閉する手洗給水弁と、前記手洗吐水部から吐水された洗浄水を受ける手洗ボウル部と、この手洗ボウル部と前記便器排水流路とを連通し手洗い用の洗浄水を排出する手洗排水流路と、この手洗排水流路の中途に設けられ封水を形成する手洗いトラップ部と、
前記便器給水弁及び前記手洗給水弁の開閉動作を制御する制御部と、を備え、
前記制御部は、時計手段を有しており、この時計手段の時刻が予め設定された所定時刻になった場合、前記手洗給水弁を一定期間開弁する自動給水手段を有する便器装置。
【請求項３】
前記制御部が、前記自動給水手段による前記手洗給水弁の開弁を行う第１のモードと、前記自動給水手段による前記手洗給水弁の開弁を行わない第２のモードと、のどちらか一方を選択して実行するモード選択手段を有し、
前記モード選択手段が前記第１のモードまたは前記第２のモードのどちらを選択して実行するかを設定可能なモード選択操作手段を備える請求項１または２に記載の便器装置。
【請求項４】
人体を検知する人体検知手段を備え、
前記制御部は、前記人体検知手段が人体を検知した場合、前記自動給水手段による前記手洗給水弁の開弁を禁止し、前記人体検知手段が人体を検知しなくなった後に、前記自動給水手段による前記手洗給水弁の開弁を行う請求項１から３のいずれか１項に記載の便器装置。
【発明の詳細な説明】
【技術分野】
【０００１】
本発明は、手洗い用の洗浄水を吐水する手洗吐水部を備える便器装置に関する。
【背景技術】
【０００２】
従来、給水配管が水道管に直結され、水道からの洗浄水が便器ボウルに直接供給される、いわゆる水道直結給水式の便器装置として、手洗い用の洗浄水を吐水する手洗吐水部が設けられたものが知られている（例えば、特許文献１参照。）。手洗吐水部には、給水配管から分岐した分岐配管が接続されており、便器ボウルに給水される洗浄水の一部が分岐配管を経由して給水される。また、手洗吐水部の排水は手洗ボウルが受け、手洗ボウルと便器排水口とを連通させる手洗排水管により排出される。この手洗排水管の中途には、下水道からの悪臭やガスの逆流、及び、衛生害虫の侵入を防ぐために、封水を形成する手洗トラップ部が設けられる。
【０００３】
この種の便器装置においては、それぞれの給水経路毎に開閉弁を設けることにより、手洗吐水部による吐水と、便器洗浄とを互いに独立して実行することができる。
【先行技術文献】
【特許文献】
【０００４】
【特許文献１】特開２０１２−１４９４６０号公報
【発明の概要】
【発明が解決しようとする課題】
【０００５】
上述したような便器装置においては、通常、手洗トラップ部により形成される封水の容量は、便器に設けられる便器トラップ部により形成される封水の容量に比べて小さい。そのため、便器装置を使用しない状態や、便器装置を使用しても手洗いを実施せずに便器洗浄のみを行なう状態等、手洗吐水部による吐水が長期間行われない場合、蒸発等により手洗トラップ部にて破封が生じてしまうという懸念があった。手洗トラップ部にて破封が生じた場合、下水道からの悪臭やガスの逆流や、衛生害虫の侵入等の衛生的な問題を生じる可能性がある。
【０００６】
本発明は、上述した問題を解決するためになされたものであり、手洗い用の洗浄水を吐水する手洗吐水部を備える便器装置において、手洗トラップ部での破封を防ぐことが可能な便器装置を提供することを目的とする。
【課題を解決するための手段】
【０００７】
本発明は、手洗い用の洗浄水を吐水する手洗吐水部を備える便器装置であって、汚物を受けるボウル部を有する便器と、前記ボウル部に洗浄水を吐水する便器吐水部と、この便器吐水部に洗浄水を供給する便器給水流路と、この便器給水流路を開閉する便器給水弁と、前記ボウル部に連通し前記汚物を洗浄水とともに排出する便器排水流路と、この便器排水流路の中途に設けられ封水を形成する便器トラップ部と、前記便器給水弁の上流側で前記便器給水流路から分岐するとともに、前記手洗吐水部へ洗浄水を給水する手洗給水流路と、この手洗給水流路を開閉する手洗給水弁と、前記手洗吐水部から吐水された洗浄水を受ける手洗ボウル部と、この手洗ボウル部と前記便器排水流路とを連通し手洗い用の洗浄水を排出する手洗排水流路と、この手洗排水流路の中途に設けられ封水を形成する手洗トラップ部と、前記便器給水弁及び前記手洗給水弁の開閉動作を制御する制御部と、を備え、前記制御部は、前記手洗給水弁が閉弁してからの経過時間を計時する計時手段と、この計時手段による計時が所定時間を越えた場合、前記手洗給水弁を一定期間開弁する自動給水手段と、を有する便器装置である。
【０００８】
このように構成された本発明においては、制御部により、手洗給水弁が閉弁してから所定時間経過後に手洗給水弁を一定期間開弁することで、手洗吐水部から洗浄水が吐水される。そのため、手洗トラップ部内で破封が生じることを抑制することができる。
【０００９】
本発明は、また、手洗い用の洗浄水を吐水する手洗吐水部を備える便器装置であって、汚物を受けるボウル部を有する便器と、前記ボウル部に洗浄水を吐水する便器吐水部と、この便器吐水部に洗浄水を供給する便器給水流路と、この便器給水流路を開閉する便器給水弁と、前記ボウル部に連通し前記汚物を洗浄水とともに排出する便器排水流路と、この便器排水流路の中途に設けられ封水を形成する便器トラップ部と、前記便器給水弁の上流側で前記便器給水流路から分岐するとともに、前記手洗吐水部へ洗浄水を給水する手洗給水流路と、この手洗給水流路を開閉する手洗給水弁と、前記手洗吐水部から吐水された洗浄水を受ける手洗ボウル部と、この手洗ボウル部と前記便器排水流路とを連通し手洗い用の洗浄水を排出する手洗排水流路と、この手洗排水流路の中途に設けられ封水を形成する手洗トラップ部と、前記便器給水弁及び前記手洗給水弁の開閉動作を制御する制御部と、を備え、前記制御部は、時計手段を有しており、この時計手段の時刻が予め設定された所定時刻になった場合、前記手洗給水弁を一定期間開弁する自動給水手段を有する便器装置である。
【００１０】
このように構成された本発明においては、制御部により、所定時刻になると手洗給水弁を一定期間開弁することで、手洗吐水部から洗浄水が吐水される。そのため、手洗トラップ部内で破封が生じることを抑制することができる。
【００１１】
本発明は、さらに、前記制御部が、前記自動給水手段による前記手洗給水弁の開弁を行う第１のモードと、前記自動給水手段による前記手洗給水弁の開弁を行わない第２のモードと、のどちらか一方を選択して実行するモード選択手段を有し、前記モード選択手段が前記第１のモードまたは前記第２のモードのどちらを選択して実行するかを設定可能なモード選択操作手段を備える構成としてもよい。
【００１２】
このように構成された本発明においては、手洗吐水部の使用頻度が高いときは、自動給水手段による給水弁の開弁を行わない第２のモードを設定することで、節水を図ることができる。
【００１３】
本発明は、さらに、人体を検知する人体検知手段を備え、前記制御部は、前記人体検知手段が人体を検知した場合、前記自動給水手段による前記手洗給水弁の開弁を禁止し、前記人体検知手段が人体を検知しなくなった後に、前記自動給水手段による前記手洗給水弁の開弁を行う構成としてもよい。
【００１４】
このように構成された本発明においては、人体検知手段が人体を検知している間は、自動給水手段による手洗給水弁の開弁を行わないため、使用者の意図せぬ手洗吐水部からの吐水による不安や不快感を与えることがない。
【発明の効果】
【００１５】
本発明の便器装置によれば、手洗トラップ部で破封が生じることを抑制することが可能となる。
【図面の簡単な説明】
【００１６】
【図１】本発明の一実施形態に係る便器装置を概略的に示す構成図。
【図２】本発明の一実施形態に係る便器装置のケーシングを概略的に示す正面図。
【図３】本発明の一実施形態に係る便器装置の制御的な構成を示すブロック図。
【図４】本発明の一実施形態に係る便器装置の動作を示すフローチャート。
【図５】本発明の別の構成を模式的に示す斜視図。
【発明を実施するための形態】
【００１７】
以下、図面を参照して本発明の一実施形態に係る便器装置について説明する。図１は本発明の一実施形態に係る便器装置を概略的に示す構成図であり、図２は本発明の一実施形態に係る便器装置のケーシングを概略的に示す正面図である。
【００１８】
図１及び図２に示すように、本発明の一実施形態に係る便器装置１００は、トイレルームの床面に載置される大便器２００（便器）と、この大便器２００の後部上面に密結されるケーシング４００と、使用者による操作を受け付ける操作部６００とを備える。
【００１９】
大便器２００は、汚物を受けるボウル部２２０と、このボウル部２２０に洗浄水を吐水する便器吐水部２４０と、ボウル部２２０に吐水された洗浄水を汚物とともに排出する便器排水流路２６０とを有する。
【００２０】
ボウル部２２０は、上方に向けて開口したボウル形状である。ボウル部２２０は、その表面を洗浄水が旋回することで洗浄され、ボウル部２２０の上縁部は、洗浄水が大便器２００の外に飛び出さないようにオーバーハングした形状となっている。
【００２１】
便器吐水部２４０は、ボウル部２２０に１つあるいは複数形成される開口であり、給水源８００から便器給水流路２８０を介して供給される洗浄水をボウル部２２０へと吐水する。また、便器給水流路２８０の中途には、便器給水流路２８０を開閉することで便器吐水部２４０から洗浄水を吐水または止水することが可能な便器給水弁２８２が設けられている。
【００２２】
便器排水流路２６０は、ボウル部２２０の底部から延設され、建物躯体に設けられている図示しない下水配管に接続される。また、便器排水流路２６０の中途には、封水Ｗ２を形成する便器トラップ部２６２が設けられている。なお、便器排水流路２６０は、大便器２００内に形成される流路のみならず、排水ソケット内等のボウル部２２０の底部から下水配管（図示せず）へと連絡する流路をも含むものである。
【００２３】
ケーシング４００は、手洗い用の洗浄水を受ける手洗ボウル部４２０と、この手洗ボウル部４２０に洗浄水を吐水する手洗吐水部４４０と、手洗ボウル部４２０に吐水された洗浄水を排出する手洗排水流路４６０とを有する。
【００２４】
手洗ボウル部４２０は、上方に向けて開口したボウル形状であり、ケーシング４００の最上部に設けられる。手洗吐水部４４０は、手洗ボウル部４２０の上縁部に設けられるスパウトであり、給水源８００から手洗給水流路４８０を介して供給される洗浄水を手洗ボウル部４２０へと吐水する。また、手洗給水流路４８０は、便器給水弁２８２の上流側（給水源８００側）で便器給水流路２８０から分岐する流路であり、その中途には、手洗給水流路４８０を開閉することで手洗吐水部４４０から洗浄水を吐水または止水することが可能な手洗給水弁４８２が設けられている。なお、本実施形態において、手洗ボウル部４２０は、ケーシング４００と一体的に設けられているが、本発明はこのような形態に限定されるものではなく、例えば、手洗ボウル部４２０とケーシング４００とが別体でもよい。
【００２５】
手洗排水流路４６０は、手洗ボウル部４２０の底部からケーシング４００内部に延設され、便器排水流路２６０に接続される。また、手洗排水流路４６０の中途には、封水Ｗ４を形成する手洗トラップ部４６２が設けられている。なお、建築基準法施行令により封水深は５０ｍｍ以上１００ｍｍ未満であることが求められているが、便器トラップ部２６２の配管径に比べて手洗トラップ部４６２の配管径が小さいため、封水Ｗ４は封水Ｗ２よりも容量が少ない。そのため、手洗吐水部４４０による吐水が長期間行われない場合、蒸発等により手洗トラップ部４６２にて破封が生じるおそれがある。
【００２６】
操作部６００は、便器洗浄を行なうための便器洗浄スイッチ６０２や、手洗洗浄を行なうための手洗吐水スイッチ６０４や、後述する第１のモードまたは第２のモードのどちらを選択して実行するかを設定可能なモード選択スイッチ６０６（モード選択操作手段）を有する。なお、操作部６００は、トイレルームの壁面または床面、あるいは、ケーシング４００等に設けられる。また、便器洗浄スイッチ６０２、手洗吐水スイッチ６０４、及び、モード選択スイッチ６０６としては、例えば、押しボタン式のスイッチや、赤外線方式で非接触操作が可能な近接スイッチ等を用いることができる。
【００２７】
このような構成により、便器装置１００は、操作部６００の便器洗浄スイッチ６０２を操作することで、便器給水弁２８２を開弁し、便器給水流路２８０から給水された洗浄水を便器吐水部２４０から吐水することで、ボウル部２２０を洗浄水により洗浄することができる。この際、ボウル部２２０を洗浄した洗浄水は、汚物とともに便器排水流路２６０に流れ込み、建物躯体に設けられている図示しない下水配管へと排出される。さらに、便器装置１００は、操作部６００の手洗吐水スイッチ６０４を操作することで、手洗給水弁４８２を開弁し、手洗給水流路４８０から給水された洗浄水を手洗吐水部４４０から手洗い用の洗浄水として吐水することができる。この際、手洗い用の洗浄水は、手洗ボウル部４２０から手洗排水流路４６０に流れ込み、便器排水流路２６０を介して建物躯体に設けられている図示しない下水配管へと排出される。
【００２８】
また、便器装置１００は、人体を検知する人体検知手段７００と、便器給水弁２８２及び手洗給水弁４８２の開閉動作を制御する制御部９００とを備える。
【００２９】
人体検知手段７００は、例えば赤外線センサやマイクロ波センサ等から構成され、使用者のトイレルームへの入室や、大便器２００上面に設けられる図示しない便座への使用者の着座等を検知する。
【００３０】
制御部９００は、便器給水弁２８２及び手洗給水弁４８２、操作部６００、人体検知手段７００と電気的に接続されており、人体検知手段７００による人体の検知や、操作部６００への操作に基づいて便器給水弁２８２及び手洗給水弁４８２の開閉動作を制御する。
【００３１】
次に、図３を参照して本発明の一実施形態における便器装置の制御部の機能的な構成について説明する。図３は本発明の一実施形態における便器装置の制御的な構成を示すブロック図である。図３に示すように、制御部９００は、ＣＰＵ９２０と、タイマ９４０（計時手段）と、メモリ９６０（記憶手段）とを有する。
【００３２】
ＣＰＵ９２０は、便器洗浄スイッチ６０２、手洗吐水スイッチ６０４、人体検知手段７００のそれぞれから出力される信号を受け取って所定の情報処理を行い、その情報処理の結果実行する制御に応じた制御信号を便器給水弁２８２及び手洗給水弁４８２のそれぞれに出力する。その結果、ＣＰＵ９２０は、自動給水手段及びモード選択手段として機能する。
【００３３】
制御部９００は、手洗給水弁４８２の閉弁してからの経過時間をタイマ９４０により計時し、このタイマ９４０による計時が所定時間Ｔ２を越えた場合、手洗給水弁４８２を一定期間Ｔ４だけ開弁する自動給水手段を有する。また、制御部９００は、自動給水手段による手洗給水弁４８２の開弁を行う第１のモードと、自動給水手段による手洗給水弁４８２の開弁を行わない第２のモードと、のどちらかを洗濯して実行するモード選択手段を有する。
【００３４】
なお、モード選択手段が、第１のモードあるいは第２のモードのどちらを選択して実行するかは、操作部６００のモード選択スイッチ６０６により設定可能である。また、制御部９００は、モード選択スイッチ６０６により第１のモードを設定していたとしても、人体検知手段７００により人体を検知している間は、自動給水手段による手洗給水弁４８２の開弁を禁止する。
【００３５】
次に、図１〜４を参照して、本発明の一実施形態である便器装置１００の動作について説明する。図４は本発明の一実施形態に係る便器装置の動作を示すフローチャートである。
【００３６】
図４に示すように、待機状態（ステップＳ１００）において、制御部９００は、操作部６００の手洗吐水スイッチ６０４による手洗吐水の開始操作の有無を判断する（ステップＳ１０２）。
【００３７】
制御部９００は、手洗吐水の開始操作が有った場合（ステップＳ１０２：Ｙ）、モード選択手段により第１のモードが選択されているか否かを判断する（ステップＳ１０４）。
【００３８】
第１のモードが選択されている場合（ステップＳ１０４：Ｙ）、制御部９００は、手洗給水弁４８２を開弁して手洗吐水を開始し（ステップＳ１０６）、その後、手洗吐水が終了して手洗給水弁４８２を閉弁する（ステップＳ１０７）。制御部９００は、手洗給水弁４８２が閉弁すると、タイマ９４０による計時を開始し（ステップＳ１０８）、待機状態へと移行する（ステップＳ１０９）。
【００３９】
一方、第１のモードが選択されていない場合（ステップＳ１０４：Ｎ）、即ち、第２のモードが選択されている場合、制御部９００は、手洗給水弁４８２を開弁して手洗吐水を開始する（ステップＳ１１６）。その後、手洗吐水が終了して手洗給水弁４８２を閉弁すると（ステップＳ１１７）、待機状態へと移行する（ステップＳ１１９）。
【００４０】
次に、待機状態（ステップＳ１００）において、制御部９００が、手洗吐水の開始操作が無いと判断している場合（ステップＳ１０２：Ｎ）、タイマ９４０による計時開始から
所定時間Ｔ２が経過したか否かを判断する（ステップＳ１２０）。なお、本発明においては、所定時間Ｔ２は操作部６００により変更可能な構成としてもよい。
【００４１】
制御部９００は、タイマ９４０による計時開始から所定時間Ｔ２が経過していると判断した場合（ステップＳ１２０：Ｙ）、人体検知手段７００が人体を検知していないかを判断する（ステップＳ１２２）。一方、所定時間Ｔ２が経過していないと判断した場合（ステップＳ１２０：Ｎ）、タイマ９４０による計時と、手洗吐水の開始操作の有無の判断とを継続する。
【００４２】
人体検知手段７００が人体を検知していない場合（ステップＳ１２２：Ｙ）、制御部９００は自動給水手段により、手洗給水弁４８２を開弁する（ステップＳ１２４）。一方、人体検知手段７００が人体を検知している場合（ステップＳ１２２：Ｎ）、人体を検知しなくなるまで人体検知手段７００が人体を検知していないかの判断を継続する。
【００４３】
次に、制御部９００は、自動給水手段による手洗給水弁４８２の開弁から一定期間Ｔ４が経過したか否かを判断する（ステップＳ１２６）。一定期間Ｔ４が経過したと判断した場合（ステップＳ１２６：Ｙ）、制御部９００は、手洗給水弁４８２を閉弁する（ステップＳ１２８）。これにより、手洗吐水部４４０から手洗ボウル部４２０へと洗浄水が吐水され、手洗排水流路４６０へと洗浄水が排水される。そのため、手洗トラップ部４６２へと洗浄水が流れ込み、封水Ｗ４が形成される。一方、一定期間Ｔ４が経過していないと判断した場合（ステップＳ１２６：Ｎ）、経過するまで一定期間Ｔ４が経過したか否かの判断を継続する。なお、上述した通り、建築基準法施行令により封水深は５０ｍｍ以上１００ｍｍ未満であることが求められているため、一定期間Ｔ４は、手洗トラップ部４６２に形成される封水Ｗ４の封水深が最低でも５０ｍｍ以上となるように設定される。また、便器給水流路２８０や手洗給水流路４８０に圧力センサや流量センサを介設し、制御部９００がそれらセンサの測定結果に応じて一定期間Ｔ４を変化させる構成としてもよい。
【００４４】
制御部９００は、手洗給水弁４８２を閉弁した（ステップＳ１２８）後、タイマ９４０による計時を開始し（ステップＳ１３０）、待機状態へと移行する（ステップＳ１３２）。なお、本実施形態においては、人体検知手段７００が人体を検知している場合、自動給水手段による手洗給水弁４８２の開弁を禁止しているが、本発明はこのような構成に限定されるものではなく、例えば、制御部９００は、人体検知の有無に関わらず手洗給水弁４８２を開弁する構成としてもよい。
【００４５】
上述した本発明の一実施形態の便器装置１００によると、制御部９００の自動給水手段は、手洗給水弁４８２が閉弁してから所定時間Ｔ２経過後に、手洗給水弁４８２を一定期間Ｔ４だけ開弁し、それにより手洗吐水部４４０から洗浄水が吐水される。そのため、その一定期間Ｔ４に応じた所定量の洗浄水が手洗トラップ部４６２に流れ込むことで、封水Ｗ４が形成され、手洗トラップ部４６２にて破封が生じることが抑制される。従って、破封が生じることで便器装置１００が設置されるトイレルーム内への下水道からの悪臭やガスの逆流、衛生害虫の侵入等の衛生的な問題が生じることを防ぐことができる。
【００４６】
また、手洗給水弁４８２が閉弁してから所定時間Ｔ２経過後の、制御部９００の自動給水手段手洗による手洗トラップ部４６２への洗浄水の貯留は、手洗吐水、即ち、手洗給水流路４８０から給水された洗浄水を手洗吐水部４４０が吐水することにより行う。そのため、手洗吐水ではなく、例えば、手洗吐水部４４０の上流側で手洗給水流路４８０から分岐して手洗排水流路４６０に接続する流路を設け、その流路により、手洗給水弁４８２が閉弁してから所定時間Ｔ２経過後に手洗トラップ部４６２に封水Ｗ４を形成する場合に比べて、簡易な構成により手洗トラップ部４６２にて破封が生じることを抑制できる。従って、工数やコストを増加させることなく便器装置１００を製造することができる。
【００４７】
さらに、上述した本発明の一実施形態の便器装置１００によると、操作部６００により、自動給水手段による手洗給水弁４８２の開弁を行う第１のモードと、行わない第２のモードとを選択して設定することができる。そのため、長期旅行中等の手洗吐水の使用頻度が少ない期間には第１のモードを設定することで、手洗トラップ部４６２にて破封が生じることを抑制することができる。また、手洗吐水を頻繁に行い、手洗トラップ部４６２で破封が生じにくい期間は第２のモードを設定することで、自動給水手段による手洗吐水が行われず、節水化が可能となる。
【００４８】
上述した本発明の一実施形態の便器装置１００によると、人体検知手段７００が人体を検知している間は、制御部９００は、自動給水手段による手洗給水弁４８２の開弁を行わない。そのため、使用者にとって意図せぬ手洗吐水部４４０からの吐水が行われることがなく、不安感や不快感を使用者へと与えることがない。
【００４９】
また、上述した本発明の一実施形態においては、手洗ボウル部４２０及び手洗吐水部４４０は、大便器２００に密結されるケーシング４００の上部に設けられているが、本発明はこのような構成に限定されない。例えば、図５に示すように、大便器２００が載置されるトイレルーム内に設置されたカウンター５００上に、手洗ボウル部４２０及び手洗吐水部４４０がそれぞれ設けられる構成としてもよい。ここで、図５は、本発明の別の構成を模式的に示す斜視図である。この際、手洗排水流路４６０は、手洗ボウル部４２０の底部から、カウンター５００下方に設けられたケーシング４００内、ケーシング４００とキャビネット５４０との間の壁面上に設けられたカバー５２０内、及び、大便器２００後方のキャビネット５４０内を介して、大便器２００の便器排水流路２６０の便器トラップ２６２下流側に合流する。手洗給水流路４８０は、給水源８００から、キャビネット５４０内、カバー５２０内、及び、ケーシング４００内を介してカウンター５００上の手洗吐水部４４０に水を供給する。その他の点については上述した本発明の一実施形態と同様であるので説明を省略する。このような構成としても、上述した本発明の一実施形態と同様の作用効果を得ることができる。
【００５０】
次に、上述した本発明の一実施形態の変形例について説明する。この変形例においては、制御部９００のタイマ９４０は時計手段として機能し、制御部９００の自動給水手段は、タイマ９４０の時刻が予め設定された所定時刻ｔ０となった際に、手洗給水弁４８２を一定期間Ｔ４開弁する。この際、上述した本発明の一実施形態と同様に、操作部６００のモード選択スイッチ６０６により、自動給水手段による手洗給水弁４８２の開弁の実行の有無を選択することができる。また、人体検知手段７００が人体を検知している間は、自動給水手段による手洗給水弁４８２の開弁を行わない構成とすることができる。具体的には、待機状態において所定時刻ｔ０となった際に、図４に示す本発明の一実施形態における便器装置１００の動作におけるステップＳ１２２〜Ｓ１２８を実行し、再び待機状態へと移行する。なお、所定時刻ｔ０は、操作部６００により変更可能な構成としてもよい。
【００５１】
上述した変形例の便器装置１００によると、制御部９００の自動給水手段は、タイマ９４０による時刻が所定時刻ｔ０になると、手洗給水弁４８２を一定期間Ｔ４だけ開弁し、それにより手洗吐水部４４０から洗浄水が吐水される。そのため、その一定期間Ｔ４に応じた所定量の洗浄水が手洗トラップ部４６２に流れ込むことで、封水Ｗ４が形成され、手洗トラップ部４６２にて破封が生じることが抑制される。従って、破封が生じることで便器装置１００が設置されるトイレルーム内への下水道からの悪臭やガスの逆流や、衛生害虫の侵入等の衛生的な問題が生じることを防ぐことができる。また、駅舎や学校等の使用者が途絶える時間帯が存在する施設にこの変形例の便器装置１００を設置する場合、所定時刻ｔ０を使用者が途絶える時間帯に設定することで、節水を図りつつ手洗トラップ部４６２で破封が生じることを抑制することができる。
【符号の説明】
【００５２】
１００    ：便器装置
２００    ：大便器
２２０    ：ボウル部
２４０    ：便器吐水部
２６０    ：便器排水流路
２６２    ：便器トラップ部
２８０    ：便器給水流路
２８２    ：便器給水弁
４００    ：ケーシング
４２０    ：手洗ボウル部
４４０    ：手洗吐水部
４６０    ：手洗排水流路
４６２    ：手洗トラップ部
４８０    ：手洗給水流路
４８２    ：手洗給水弁
６００    ：操作部
６０２    ：便器洗浄スイッチ
６０４    ：手洗吐水スイッチ
６０６    ：モード選択スイッチ
７００    ：人体検知手段
８００    ：給水源
９００    ：制御部
９２０    ：ＣＰＵ
９４０    ：タイマ
９６０    ：メモリ
【図１】
2014136952.tif 000003
【図２】
2014136952.tif 000004
【図３】
2014136952.tif 000005
【図４】
2014136952.tif 000006
【図５】
2014136952.tif 000007